(57)【要約】【課題】小型化を図りながらも、商用電源からの給電が遮断された後にも制御部を動作可能な点灯装置、照明器具および点灯システムを提供する。【解決手段】点灯装置１０は、商用電源Ｖａ側からの入力電圧を昇圧する昇圧チョッパ２と、昇圧チョッパ２の出力を平滑する平滑用のコンデンサＣ２と、平滑用のコンデンサＣ２の出力電圧ＶＤＣ１により点灯可能な光源７を調光制御する制御部５とを備えている。制御部５には、平滑用のコンデンサＣ２の出力電圧ＶＤＣ１から降圧された電圧Ｖ２が供給されている。制御部５は、商用電源Ｖａ側から昇圧チョッパ２への給電が遮断された後、コンデンサＣ２の出力電圧ＶＤＣ１から降圧された電圧Ｖ２に基づいて動作可能である。照明器具は、光源７と点灯装置１０とを備えている。点灯システムは、点灯装置１０と商用電源Ｖａから点灯装置１０への給電をオンオフするためのスイッチＳＷ１とを備えている。【選択図】図１
2013239387.tif 000002
【特許請求の範囲】
【請求項１】
商用電源側からの入力電圧を昇圧する昇圧チョッパと、前記昇圧チョッパの出力を平滑する平滑用のコンデンサと、前記平滑用のコンデンサの出力電圧により点灯可能な光源を調光制御する制御部とを備え、前記制御部には、前記平滑用のコンデンサの前記出力電圧から降圧された電圧が供給され、前記制御部は、前記商用電源側から前記昇圧チョッパへの給電が遮断された後、前記平滑用のコンデンサの前記出力電圧から降圧された前記電圧に基づいて動作可能であることを特徴とする点灯装置。
【請求項２】
前記光源と、請求項１記載の点灯装置とを備えてなることを特徴とする照明器具。
【請求項３】
請求項１記載の点灯装置と、前記商用電源から前記点灯装置への給電をオンオフするためのスイッチとを備え、前記制御部は、前記スイッチにて前記点灯装置への給電がオフされてから規定時間までに前記スイッチがオンされることにより、前記光源を調光制御可能な機能を有してなることを特徴とする点灯システム。
【発明の詳細な説明】
【技術分野】
【０００１】
本発明は、点灯装置、照明器具および点灯システムに関するものである。
【背景技術】
【０００２】
従来から、光源としての放電灯を点灯させる点灯装置が提案されている（例えば、特許文献１）。
【０００３】
特許文献１には、図６に示す構成を有する点灯装置が記載されている。この点灯装置は、直流電源回路７０と、インバータ回路７１と、インバータ回路７１の発振を制御するドライブ回路７２と、ドライブ回路７２を制御するマイクロコンピュータ７３とを備えている。インバータ回路７１の一対の出力端間には、コンデンサ７５とダイオード７６との直列回路からなるスナバ回路７７が接続されている。なお、スナバ回路７７は、コンデンサ７５の低電位側とダイオード７６のカソード側とが接続されている。また、直流電源回路７０の一対の入力端間には、壁スイッチ７８を介して商用電源７９が接続されている。
【０００４】
上述の点灯装置では、ダイオード７６の両端間に発生する電圧が、ダイオード８０により分岐されてドライブ回路７２に供給される。また、上述の点灯装置では、ダイオード７６の両端間に発生する電圧が、ダイオード８１により分岐されて、マイクロコンピュータ７３の駆動用電源である第１の電源電圧Ｖ１を生成する第１の電源部８３に供給される。第１の電源部８３は、コンデンサ８４と、ツェナーダイオード８５とを有している。
【０００５】
また、上述の点灯装置では、ダイオード７６の両端間に発生する電圧が、ダイオード８２により分岐されて、スイッチ８６、コンデンサ８７、抵抗８８およびダイオード８９を有する第２の電源部９０に供給される。
【０００６】
特許文献１には、スイッチ８６が、マイクロコンピュータ７３からのＯＮ／ＯＦＦ信号によりＯＮ／ＯＦＦされる旨が記載されている。また、特許文献１には、放電灯７４が点灯しているとき、スイッチ８６がＯＮの状態になる旨が記載されている。また、特許文献１には、スイッチ８６がＯＮの状態のとき、コンデンサ８７が充電され、このコンデンサ８７に充電された電荷が、抵抗８８、ダイオード８９を介して第１の電源部８３に供給される旨が記載されている。なお、特許文献１には、第２の電源部９０におけるコンデンサ８７の容量を、第１の電源部８３におけるコンデンサ８４の容量よりも大きくする旨が記載されている。
【０００７】
また、特許文献１には、商用電源７９からの給電が遮断されると、スナバ回路７７から第１の電源部８３および第２の電源部９０への給電が途絶え、コンデンサ８７に予め充電された電荷が、抵抗８８、ダイオード８９を介して第１の電源部８３に供給される旨が記載されている。また、特許文献１には、上述の点灯装置を内蔵した照明器具が記載されている。
【０００８】
また、従来から、光源として発光ダイオードを用いた照明装置が提案されている（例えば、特許文献２）。
【０００９】
特許文献２には、図７に示す構成を有する照明装置が記載されている。この照明装置は、全波整流回路９１と、全波整流回路９１の一対の出力端間に接続された抵抗９２および抵抗９３の直列回路からなる分圧回路と、この分圧回路の両端間に接続されたチョークコイル９４、ＭＯＳＦＥＴ９５および抵抗９６の直列回路とを備えている。なお、全波整流回路９１の一対の入力端間には、商用交流電源９７が接続されている。
【００１０】
また、上述の照明装置は、ＭＯＳＦＥＴ９５および抵抗９６の直列回路の両端間に接続されたダイオード９８および平滑コンデンサ９９の直列回路と、平滑コンデンサ９９の両端間に接続された抵抗１００および可変抵抗１０１の直列回路とを備えている。さらに、上述の照明装置は、抵抗１００および可変抵抗１０１の直列回路の両端間に接続され複数の発光ダイオード１０２で構成された複数の直列回路と、ＭＯＳＦＥＴ９５をオン、オフ制御する制御回路１０３とを備えている。また、上述の照明装置は、点灯ボタン、調光(1)ボタン、調光(2)ボタンおよび消灯ボタンを有する操作部１０４を備えている。操作部１０４は、制御回路１０３に接続されている。
【先行技術文献】
【特許文献】
【００１１】
【特許文献１】特開２００９−１１０７６６号公報
【特許文献２】特開平１１−６７４７１号公報
【発明の概要】
【発明が解決しようとする課題】
【００１２】
ところで、特許文献１に開示された点灯装置では、商用電源７９からの給電が遮断されると、コンデンサ８７に予め充電された電荷が第１の電源部８３に供給されるので、壁スイッチ７８により商用電源７９からの給電が遮断されたとしても、マイクロコンピュータ７３（制御部）を動作させることが可能となる。また、特許文献１に開示された点灯装置では、商用電源７９からの給電が遮断されたときに、マイクロコンピュータ７３を動作させることができるので、マイクロコンピュータ７３が、壁スイッチ７８による操作をモニタすることが可能となる。
【００１３】
しかしながら、特許文献１に開示された点灯装置は、光源としての放電灯７４を点灯させるために、インバータ回路７１が必要であり、点灯装置の小型化が難しい。また、特許文献１に開示された点灯装置では、商用電源７９からの給電が遮断されたとき、マイクロコンピュータ７３を動作させるために、第２の電源部９０におけるコンデンサ８７の容量を、第１の電源部８３におけるコンデンサ８４の容量よりも大きくしているので、点灯装置の小型化がさらに難しい。
【００１４】
また、特許文献２に開示された照明装置では、光源として発光ダイオード１０２を用いているので、インバータ回路が不要となる。
【００１５】
しかしながら、特許文献２に開示された照明装置では、商用交流電源９７からの給電が遮断されたときに、制御回路１０３（制御部）を動作させることが困難である。
【００１６】
本発明は上記事由に鑑みて為されたものであり、その目的は、小型化を図りながらも、商用電源からの給電が遮断された後にも制御部を動作可能な点灯装置、照明器具および点灯システムを提供することにある。
【課題を解決するための手段】
【００１７】
本発明の点灯装置は、商用電源側からの入力電圧を昇圧する昇圧チョッパと、前記昇圧チョッパの出力を平滑する平滑用のコンデンサと、前記平滑用のコンデンサの出力電圧により点灯可能な光源を調光制御する制御部とを備え、前記制御部には、前記平滑用のコンデンサの前記出力電圧から降圧された電圧が供給され、前記制御部は、前記商用電源側から前記昇圧チョッパへの給電が遮断された後、前記平滑用のコンデンサの前記出力電圧から降圧された前記電圧に基づいて動作可能であることを特徴とする。
【００１８】
本発明の照明器具は、前記光源と、前記点灯装置とを備えてなることを特徴とする。
【００１９】
本発明の点灯システムは、前記点灯装置と、前記商用電源から前記点灯装置への給電をオンオフするためのスイッチとを備え、前記制御部は、前記スイッチにて前記点灯装置への給電がオフされてから規定時間までに前記スイッチがオンされることにより、前記光源を調光制御可能な機能を有してなることを特徴とする。
【発明の効果】
【００２０】
本発明の点灯装置においては、小型化を図りながらも、商用電源からの給電が遮断された後にも制御部を動作可能となる。
【００２１】
本発明の照明器具においては、小型化を図りながらも、商用電源からの給電が遮断された後にも制御部を動作可能となる。
【００２２】
本発明の点灯システムにおいては、小型化を図りながらも、商用電源からの給電が遮断された後にも制御部を動作可能となる。
【図面の簡単な説明】
【００２３】
【図１】実施形態１の点灯装置を備えた点灯システムの概略回路図である。
【図２】比較例の点灯装置を備えた点灯システムの概略回路図である。
【図３】実施形態１の照明器具を示し、（ａ）は概略斜視図、（ｂ）はセードを外した状態の概略斜視図である。
【図４】図３（ｂ）の一部破断した概略分解斜視図である。
【図５】実施形態２の点灯装置を備えた点灯システムの概略回路図である。
【図６】従来例の点灯装置の概略回路図である。
【図７】従来例の照明装置の概略回路図である。
【発明を実施するための形態】
【００２４】
（実施形態１）
以下、本実施形態の点灯装置および点灯システムについて、図１を参照しながら説明する。なお、本実施形態では、点灯装置を説明した後に、本実施形態の点灯システムについて説明する。
【００２５】
本実施形態の点灯装置１０は、例えば発光ダイオード７ａ（以下、ＬＥＤ７ａ）を用いた光源７を点灯させるものである。なお、本実施形態では、ＬＥＤ７ａの数を、複数個としているが、１個であってもよい。また、本実施形態では、ＬＥＤ７ａの接続関係を、直列接続としているが、これに限らず、例えば、並列接続であってもよいし、直列接続と並列接続とを組み合わせた接続であってもよい。
【００２６】
点灯装置１０は、商用電源Ｖａからの交流電圧を全波整流する整流部１と、整流部１により全波整流された電圧を平滑する平滑用のコンデンサＣ１と、平滑用のコンデンサＣ１により平滑された電圧（入力電圧）を昇圧する昇圧チョッパ２とを備えている。また、点灯装置１０は、昇圧チョッパ２の出力を平滑する平滑用のコンデンサＣ２と、平滑用のコンデンサＣ２の出力電圧ＶＤＣ１を第１の所定電圧Ｖ１（本実施形態では、１５Ｖ）に降圧する第１の電源部３とを備えている。さらに、点灯装置１０は、第１の電源部３により降圧された第１の所定電圧Ｖ１を第２の所定電圧Ｖ２（本実施形態では、５Ｖ）に降圧する第２の電源部４と、第２の電源部４から第２の所定電圧Ｖ２が供給され、平滑用のコンデンサＣ２の出力電圧ＶＤＣ１により点灯可能な光源７を調光制御する制御部５とを備えている。
【００２７】
整流部１としては、例えば、４個のダイオードにより構成されたダイオードブリッジなどを採用することができる。整流部１の一対の入力端間には、商用電源Ｖａが接続されている。また、整流部１の一対の出力端間には、平滑用のコンデンサＣ１が接続されている。本実施形態では、整流部１の一対の入力端の一方と商用電源Ｖａとの間の給電路に、商用電源Ｖａから点灯装置１０への給電をオンオフするためのスイッチＳＷ１が設けられている。また、本実施形態では、平滑用のコンデンサＣ１の低電位側が、接地されている。
【００２８】
昇圧チョッパ２は、例えば、ブーストコンバータにより構成することができる。本実施形態では、平滑用のコンデンサＣ１により平滑された電圧（入力電圧）の力率を改善するために、昇圧チョッパ２をＰＦＣ（Power Factor Correction）回路により構成している。具体的に説明すると、本実施形態では、昇圧チョッパ２が、６個の抵抗Ｒ１〜Ｒ６と、２個のインダクタＬ１，Ｌ２と、ダイオードＤ１と、フォトカプラＰＣ１のフォトトランジスタＰＴ１とを有している。また、昇圧チョッパ２が、例えばパワーＭＯＳＦＥＴからなるスイッチング素子Ｑ１と、スイッチング素子Ｑ１のオンオフを制御する制御用ＩＣ８とを有している。制御用ＩＣ８としては、ＳＴマイクロエレクトロニクス株式会社製のＩＣ（品番Ｌ６５６２ＡＤＴＲ）を採用しているが、これに限らず、例えば、富士電機株式会社製のＩＣ（品番ＦＡ５６０１Ｎ）などを採用してもよい。また、制御用ＩＣ８は、スイッチング素子Ｑ１のオンオフを制御するためのＰＷＭ信号からなる制御信号Ｓ１を出力する。
【００２９】
また、昇圧チョッパ２は、平滑用のコンデンサＣ１に、抵抗Ｒ１と抵抗Ｒ２との直列回路が並列接続されている。抵抗Ｒ１と抵抗Ｒ２との接続点Ｐ２３は、制御用ＩＣ８に接続されている。抵抗Ｒ２における抵抗Ｒ１との接続点Ｐ２３側とは反対側は、制御用ＩＣ８に接続されている。平滑用のコンデンサＣ１の高電位側と抵抗Ｒ１との接続点Ｐ１は、インダクタＬ１の一端に接続されている。インダクタＬ１の他端は、ダイオードＤ１のアノード側に接続されている。ダイオードＤ１のカソード側は、平滑用のコンデンサＣ２の高電位側に接続されている。
【００３０】
インダクタＬ２は、昇圧チョッパ２に流れる電流を検出するためのものである。インダクタＬ２の一端は、抵抗Ｒ３を介して制御用ＩＣ８に接続されている。インダクタＬ２の他端は、接地されている。
【００３１】
スイッチング素子Ｑ１のドレイン端子は、インダクタＬ１の他端とダイオードＤ１のアノード側との接続点Ｐ２に接続されている。スイッチング素子Ｑ１のゲート端子は、制御用ＩＣ８に接続されている。スイッチング素子Ｑ１のソース端子は、抵抗Ｒ６を介して、平滑用のコンデンサＣ２の低電位側に接続されている。平滑用のコンデンサＣ２の低電位側は、接地されている。スイッチング素子Ｑ１のソース端子と抵抗Ｒ６との接続点Ｐ３は、制御用ＩＣ８に接続されている。
【００３２】
抵抗Ｒ４の一端は、制御用ＩＣ８に接続されている。抵抗Ｒ４の他端は、フォトカプラＰＣ１のフォトトランジスタＰＴ１に接続されている。
【００３３】
フォトトランジスタＰＴ１と抵抗Ｒ５との接続点Ｐ４は、制御用ＩＣ８に接続されている。抵抗Ｒ５におけるフォトトランジスタＰＴ１との接続点Ｐ４側とは反対側は、制御用ＩＣ８に接続されている。また、抵抗Ｒ５におけるフォトトランジスタＰＴ１との接続点Ｐ４側とは反対側は、抵抗Ｒ６と平滑用のコンデンサＣ２の低電位側との接続点Ｐ５に接続されている。
【００３４】
また、昇圧チョッパ２は、昇圧チョッパ２の出力電圧の電圧値が整流部１により全波整流された電圧の波高値（本実施形態では、１４１Ｖ）よりも大きな電圧値となるように、設計されている。具体的に説明すると、昇圧チョッパ２は、昇圧チョッパ２の出力電圧の電圧値が２８０Ｖとなるように設計されている。なお、本実施形態では、昇圧チョッパ２の出力電圧の電圧値を２８０Ｖとしているが、この数値は一例であり、特に限定するものではない。
【００３５】
平滑用のコンデンサＣ２としては、昇圧チョッパ２の制御用ＩＣ８がスイッチング素子Ｑ１を例えば数十ｋＨｚのスイッチング周波数でオンオフするため、電解コンデンサを用いている。本実施形態の点灯装置１０では、平滑用のコンデンサＣ２の出力電圧ＶＤＣ１が複数個のＬＥＤ７ａからなる直列回路に印加されると、光源７が点灯する。
【００３６】
第１の電源部３としては、降圧チョッパ方式のＤＣ／ＤＣコンバータ（例えば、パナソニック株式会社製のＩＰＤ（Intelligent Power Device）、品番ＭＩＰ２１３）を用いることができる。なお、本実施形態では、第１の電源部３として、パナソニック株式会社製のＩＰＤを用いているが、これに限らず、平滑用のコンデンサＣ２の出力電圧ＶＤＣ１を第１の所定電圧Ｖ１（本実施形態では、１５Ｖ）に降圧できるものであればよい。
【００３７】
第１の電源部３の入力端子は、平滑用のコンデンサＣ２の高電位側に接続されている。第１の電源部３のグランド端子は、平滑用のコンデンサＣ２の低電位側に接続されている。第１の電源部３の出力端子は、昇圧チョッパ２の制御用ＩＣ８と抵抗Ｒ４との接続点Ｐ６に接続されている。また、第１の電源部３の出力端子は、第２の電源部４に接続されている。
【００３８】
第２の電源部４としては、例えば、３端子レギュレータなどを用いることができる。なお、本実施形態では、第２の電源部４として、３端子レギュレータを用いているが、これに限らず、第１の電源部３により降圧された第１の所定電圧Ｖ１を第２の所定電圧Ｖ２（本実施形態では、５Ｖ）に降圧できるものであればよい。
【００３９】
第２の電源部４の入力端子は、第１の電源部３の出力端子に接続されている。第２の電源部４のグランド端子は、平滑用のコンデンサＣ２の低電位側に接続されている。第２の電源部４の出力端子は、制御部５に接続されている。
【００４０】
制御部５は、例えば、マイクロコンピュータに適宜のプログラムを搭載することにより構成することができる。また、制御部５は、第２の電源部４から第２の所定電圧Ｖ２が供給される。要するに、制御部５には、平滑用のコンデンサＣ２の出力電圧ＶＤＣ１から降圧された電圧（第２の所定電圧Ｖ２）が供給される。なお、制御部５のグランド端子は、平滑用のコンデンサＣ２の低電位側に接続されている。
【００４１】
本実施形態の点灯装置１０では、平滑用のコンデンサＣ２の両端に、光源７に流れる電流を検出する第１の検出部１１が接続されている。
【００４２】
第１の検出部１１は、光源７に流れる電流を検出するためのシャント抵抗１４と、シャントレギュレータ１３と、平滑用のコンデンサＣ２の出力電圧ＶＤＣ１を第３の所定電圧（本実施形態では、５Ｖ）に降圧する第３の電源部１５とを備えている。また、第１の検出部１１は、フォトカプラＰＣ２と、誤差増幅器ＡＭＰ１と、フォトカプラＰＣ１の発光ダイオードＰＤ１と、１０個の抵抗Ｒ７〜Ｒ１６と、６個のコンデンサＣ３〜Ｃ８とを備えている。第３の電源部１５としては、例えば、降圧チョッパ方式のＤＣ／ＤＣコンバータなどを用いることができる。
【００４３】
平滑用のコンデンサＣ２の両端には、抵抗Ｒ７とフォトカプラＰＣ１の発光ダイオードＰＤ１とシャントレギュレータ１３との直列回路が、並列接続されている。
【００４４】
シャントレギュレータ１３は、トランジスタＴｒ１と、誤差増幅器ＡＭＰ２と、基準電源Ｖｂとを有している。
【００４５】
トランジスタＴｒ１のベース端子は、誤差増幅器ＡＭＰ２の出力端子に接続されている。トランジスタＴｒ１のコレクタ端子は、フォトカプラＰＣ１の発光ダイオードＰＤ１のカソード側に接続されている。トランジスタＴｒ１のエミッタ端子は、平滑用のコンデンサＣ２の低電位側に接続されている。また、トランジスタＴｒ１のエミッタ端子は、基準電源Ｖｂを介して誤差増幅器ＡＭＰ２の反転入力端子に接続されている。本実施形態では、基準電源Ｖｂのプラス側が誤差増幅器ＡＭＰ２の反転入力端子に接続され、基準電源Ｖｂのマイナス側がトランジスタＴｒ１のエミッタ端子に接続されている。また、本実施形態では、基準電源Ｖｂの出力電圧の電圧値が１．２５Ｖに設定されている。なお、本実施形態では、基準電源Ｖｂの出力電圧の電圧値を１．２５Ｖとしているが、この数値は一例であり、特に限定するものではない。
【００４６】
トランジスタＴｒ１のコレクタ端子とフォトカプラＰＣ１の発光ダイオードＰＤ１のカソード側との接続点Ｐ７は、抵抗Ｒ８とコンデンサＣ３との直列回路を介して、誤差増幅器ＡＭＰ２の非反転入力端子に接続されている。
【００４７】
抵抗Ｒ７とフォトカプラＰＣ１の発光ダイオードＰＤ１とシャントレギュレータ１３との直列回路には、抵抗Ｒ１６とコンデンサＣ６とコンデンサＣ７との直列回路が、並列接続されている。
【００４８】
抵抗Ｒ１６とコンデンサＣ６との接続点Ｐ８は、第３の電源部１５の入力端子に接続されている。第３の電源部１５のグランド端子は、コンデンサＣ６とコンデンサＣ７との接続点Ｐ９に接続されている。
【００４９】
第３の電源部１５において出力端子とグランド端子との間には、抵抗Ｒ１１と抵抗Ｒ１２とフォトカプラＰＣ２のフォトトランジスタＰＴ２と抵抗Ｒ１３との直列回路が、接続されている。第３の電源部１５の出力端子と抵抗Ｒ１１との接続点Ｐ１０は、コンデンサＣ５を介して第３の電源部１５のグランド端子に接続されている。
【００５０】
抵抗Ｒ１３には、コンデンサＣ４が並列接続されている。本実施形態では、フォトカプラＰＣ２のフォトトランジスタＰＴ２と抵抗Ｒ１３との接続点Ｐ１１がコンデンサＣ４の高電位側に接続され、抵抗Ｒ１３におけるフォトトランジスタＰＴ２との接続点Ｐ１１側とは反対側がコンデンサＣ４の低電位側に接続されている。
【００５１】
コンデンサＣ４の高電位側は、誤差増幅器ＡＭＰ１の非反転入力端子に接続されている。誤差増幅器ＡＭＰ１の出力端子は、この誤差増幅器ＡＭＰ１の反転入力端子に接続されている。また、誤差増幅器ＡＭＰ１の出力端子は、抵抗Ｒ９を介してシャントレギュレータ１３の誤差増幅器ＡＭＰ２の非反転入力端子に接続されている。誤差増幅器ＡＭＰ１の出力端子と抵抗Ｒ９との接続点Ｐ１２は、抵抗Ｒ１０を介してコンデンサＣ４の低電位側に接続されている。
【００５２】
抵抗Ｒ１６とコンデンサＣ６とコンデンサＣ７との直列回路には、コンデンサＣ８が並列接続されている。
【００５３】
抵抗Ｒ１６とコンデンサＣ６との直列回路の両端には、点灯装置１０の一対の出力端子１２ａ，１２ｂが接続されている。本実施形態では、抵抗Ｒ１６におけるコンデンサＣ６との接続点Ｐ８側とは反対側が出力端子１２ａに接続され、コンデンサＣ６とコンデンサＣ７との接続点Ｐ９が出力端子１２ｂに接続されている。また、本実施形態では、一対の出力端子１２ａ，１２ｂ間に、複数個のＬＥＤ７ａからなる直列回路が接続されている。ここにおいて、複数個のＬＥＤ７ａからなる直列回路は、各ＬＥＤ７ａの順方向電圧の電圧値の合計が２８０Ｖとなるように設計されている。
【００５４】
コンデンサＣ８の低電位側と出力端子１２ｂとの間には、シャント抵抗１４が接続されている。
【００５５】
シャント抵抗１４は、２個の抵抗からなる並列回路を３つ備え、これら３つの並列回路を直列接続して構成されている。また、シャント抵抗１４は、平滑用のコンデンサＣ２の出力電圧ＶＤＣ１が複数個のＬＥＤ７ａからなる直列回路に印加されると、光源７に流れる電流を電流電圧変換して検出電圧Ｖ４を検出する。これにより、本実施形態の点灯装置１０では、第１の検出部１１が、光源７に流れる電流を検出することが可能となる。本実施形態では、シャント抵抗１４により検出された検出電圧Ｖ４が、コンデンサＣ７に印加される。
【００５６】
フォトカプラＰＣ２の発光ダイオードＰＤ２には、抵抗Ｒ１５が並列接続されている。フォトカプラＰＣ２の発光ダイオードＰＤ２のアノード側と抵抗Ｒ１５との接続点Ｐ２０は、抵抗Ｒ１４を介して制御部５に接続されている。フォトカプラＰＣ２の発光ダイオードＰＤ２のカソード側と抵抗Ｒ１５との接続点Ｐ２１は、コンデンサＣ７の低電位側に接続されている。
【００５７】
本実施形態の点灯装置１０では、シャントレギュレータ１３における誤差増幅器ＡＭＰ２の非反転入力端子の入力電圧が、誤差増幅器ＡＭＰ１の出力端子の出力電圧Ｖ５とコンデンサＣ７に印加された検出電圧Ｖ４との合計となる。ところで、第１の検出部１１は、誤差増幅器ＡＭＰ１の出力端子の出力電圧Ｖ５とコンデンサＣ７に印加された検出電圧Ｖ４との合計値が基準電源Ｖｂの出力電圧の電圧値（本実施形態では、１．２５Ｖ）となるように、設計されている。
【００５８】
また、本実施形態の点灯装置１０では、昇圧チョッパ２が、シャントレギュレータ１３における誤差増幅器ＡＭＰ２の非反転入力端子の入力電圧に基づいて光源７に流れる電流を定電流化する。具体的に説明すると、本実施形態の点灯装置１０では、光源７に流れる電流が増加すると、シャント抵抗１４によりコンデンサＣ７に印加される検出電圧Ｖ４も増加する。このとき、本実施形態では、誤差増幅器ＡＭＰ２の非反転入力端子の入力電圧が、基準電源Ｖｂの出力電圧の上記電圧値よりも大きくなるので、シャントレギュレータ１３のトランジスタＴｒ１がオンする。そして、本実施形態では、トランジスタＴｒ１がオンされると、フォトカプラＰＣ１の発光ダイオードＰＤ１に電流が流れ、昇圧チョッパ２のフォトトランジスタＰＴ１がオンする。
【００５９】
また、本実施形態の点灯装置１０では、フォトトランジスタＰＴ１がオンされると、第１の電源部３からの第１の所定電圧Ｖ１を抵抗Ｒ４と抵抗Ｒ５とで抵抗分圧したフィードバック信号が、昇圧チョッパ２の制御用ＩＣ８に入力される。制御用ＩＣ８は、フィードバック信号が入力されると、制御信号Ｓ１のオンデューティー比を小さくして、スイッチング素子Ｑ１のオン時間を短くする。これにより、本実施形態の点灯装置１０では、昇圧チョッパ２のインダクタＬ１に蓄えられるエネルギー量が少なくなり、昇圧チョッパ２の出力電圧を減らすことが可能となる。
【００６０】
一方、本実施形態の点灯装置１０では、光源７に流れる電流が減少すると、シャント抵抗１４によりコンデンサＣ７に印加される検出電圧Ｖ４も減少する。このとき、本実施形態では、誤差増幅器ＡＭＰ２の非反転入力端子の入力電圧が、基準電源Ｖｂの出力電圧の上記電圧値以下となるので、シャントレギュレータ１３のトランジスタＴｒ１がオフする。そして、本実施形態では、トランジスタＴｒ１がオフされると、フォトカプラＰＣ１の発光ダイオードＰＤ１に電流が流れなくなり、昇圧チョッパ２のフォトトランジスタＰＴ１がオフする。制御用ＩＣ８は、フォトトランジスタＰＴ１がオフされると、制御信号Ｓ１のオンデューティー比を大きくして、スイッチング素子Ｑ１のオン時間を長くする。これにより、本実施形態の点灯装置１０では、昇圧チョッパ２のインダクタＬ１に蓄えられるエネルギー量が多くなり、昇圧チョッパ２の出力電圧を増やすことが可能となる。
【００６１】
したがって、本実施形態の点灯装置１０では、昇圧チョッパ２が、誤差増幅器ＡＭＰ２の非反転入力端子の入力電圧に基づいて光源７に流れる電流を定電流化することが可能となり、光源７に流れる電流を安定させることが可能となる。
【００６２】
また、本実施形態の点灯装置１０は、リモートコントローラ９（以下、リモコン９と略称する）からの無線信号（本実施形態では、赤外線信号）を受光可能な受光部６を備えている。この受光部６には、第２の電源部４から第２の所定電圧Ｖ２が供給される。なお、本実施形態では、リモコン９からの無線信号に、光源７の点灯、消灯または調光を指示するリモコン信号Ｓ２が重畳される。また、本実施形態では、リモコン９からの無線信号として、赤外線信号を用いているが、これに限らず、例えば、電波信号などであってもよい。リモコン９からの無線信号として電波信号を用いる場合は、上述の受光部６の代わりに、電波信号を受信可能な受信部を用いればよい。
【００６３】
受光部６は、制御部５に接続されている。また、受光部６は、リモコン９からの無線信号を受光すると、リモコン信号Ｓ２を制御部５へ出力する。なお、受光部６のグランド端子は、平滑用のコンデンサＣ２の低電位側に接続されている。
【００６４】
制御部５は、受光部６から光源７の調光を指示するリモコン信号Ｓ２が入力されると、光源７を調光制御可能なＰＷＭ信号からなる調光信号Ｓ３を第１の検出部１１へ出力する。
【００６５】
第１の検出部１１は、制御部５からの調光信号Ｓ３が入力されると、フォトカプラＰＣ２がオンする。また、第１の検出部１１は、フォトカプラＰＣ２がオンされると、第３の電源部１５からの上記第３の所定電圧を、抵抗Ｒ１１および抵抗Ｒ１２と抵抗Ｒ１３とで抵抗分圧してコンデンサＣ４に印加する。本実施形態では、誤差増幅器ＡＭＰ１の非反転入力端子の入力電圧が、コンデンサＣ４に印加された電圧となる。
【００６６】
以下、本実施形態の点灯装置１０において制御部５が、光源７を調光制御する動作について説明する。
【００６７】
制御部５は、光源７の光出力の大きさを増加させる場合、調光信号Ｓ３のオンデューティー比を小さくして、フォトカプラＰＣ２のオン時間を短くする。第１の検出部１１は、フォトカプラＰＣ２のオン時間が短くなると、コンデンサＣ４に印加される電圧が小さくなり、誤差増幅器ＡＭＰ１の出力端子の出力電圧Ｖ５も小さくなる。本実施形態では、誤差増幅器ＡＭＰ１の出力端子の出力電圧Ｖ５とコンデンサＣ７に印加された検出電圧Ｖ４との合計値が、基準電源Ｖｂの出力電圧の上記電圧値となるように設定されているので、コンデンサＣ７に印加される検出電圧Ｖ４が大きくなり、光源７に流れる電流も大きくなる。これにより、制御部５が、光源７の光出力の大きさを増加させることが可能となる。
【００６８】
一方、制御部５は、光源７の光出力の大きさを減少させる場合、調光信号Ｓ３のオンデューティー比を大きくして、フォトカプラＰＣ２のオン時間を長くする。第１の検出部１１は、フォトカプラＰＣ２のオン時間が長くなると、コンデンサＣ４に印加される電圧が大きくなり、誤差増幅器ＡＭＰ１の出力端子の出力電圧Ｖ５も大きくなる。本実施形態では、誤差増幅器ＡＭＰ１の出力端子の出力電圧Ｖ５とコンデンサＣ７に印加された検出電圧Ｖ４との合計値が、基準電源Ｖｂの出力電圧の上記電圧値となるように設定されているので、コンデンサＣ７に印加される検出電圧Ｖ４が小さくなり、光源７に流れる電流も小さくなる。これにより、制御部５が、光源７の光出力の大きさを減少させることが可能となる。
【００６９】
したがって、本実施形態の点灯装置１０では、制御部５が、光源７を調光制御することが可能となる。また、本実施形態の点灯装置１０では、制御部５が、リモコン９から送出された光源７の調光を指示するリモコン信号Ｓ２に基づいて光源７を調光制御することが可能となる。
【００７０】
また、本実施形態の点灯装置１０では、制御部５が、リモコン９から送出された光源７の点灯または消灯を指示するリモコン信号Ｓ２に基づいて昇圧チョッパ２の制御用ＩＣ８を制御する。具体的に説明すると、制御部５は、受光部６から光源７の点灯を指示するリモコン信号Ｓ２が入力されると、制御用ＩＣ８の動作をオンするための第１のオン信号Ｓ４を制御用ＩＣ８へ出力する。また、制御部５は、受光部６から光源７の消灯を指示するリモコン信号Ｓ２が入力されると、制御用ＩＣ８の動作をオフするための第１のオフ信号Ｓ５を制御用ＩＣ８へ出力する。
【００７１】
制御用ＩＣ８は、商用電源Ｖａ側から給電された状態で制御部５からの第１のオフ信号Ｓ５が入力されると、昇圧チョッパ２の動作を停止させる。本実施形態の点灯装置１０では、昇圧チョッパ２の動作が停止すると、昇圧チョッパ２の出力電圧の電圧値が、整流部１により全波整流された電圧の波高値（本実施形態では、１４１Ｖ）となる。このとき、本実施形態の点灯装置１０では、各ＬＥＤ７ａの順方向電圧の電圧値の合計が２８０Ｖとなるように設計されているので、光源７が消灯する。
【００７２】
また、制御用ＩＣ８は、商用電源Ｖａ側から給電された状態且つ昇圧チョッパ２の動作が停止した状態で制御部５からの第１のオン信号Ｓ４が入力されると、昇圧チョッパ２が動作する。本実施形態の点灯装置１０では、昇圧チョッパ２が動作すると、昇圧チョッパ２の出力電圧の電圧値が２８０Ｖとなる。このとき、本実施形態の点灯装置１０では、各ＬＥＤ７ａの順方向電圧の電圧値の合計が２８０Ｖとなるように設計されているので、光源７が点灯する。
【００７３】
したがって、本実施形態の点灯装置１０では、制御部５が、リモコン９から送出された光源７の点灯または消灯を指示するリモコン信号Ｓ２に基づいて光源７を点灯または消灯することが可能となる。
【００７４】
また、本実施形態の点灯装置１０では、整流部１の一対の入力端に、商用電源Ｖａからの通電の有無を検出する第２の検出部１６が接続されている。
【００７５】
第２の検出部１６は、２個のダイオードＤ２，Ｄ３と、２個の抵抗Ｒ１７，Ｒ１８と、コンデンサＣ９とを有している。
【００７６】
ダイオードＤ２のアノード側は、整流部１の一対の入力端の一方とスイッチＳＷ１との接続点Ｐ１３に接続されている。ダイオードＤ３のアノード側は、整流部１の一対の入力端の他方と商用電源Ｖａとの接続点Ｐ２２に接続されている。
【００７７】
ダイオードＤ２のカソード側とダイオードＤ３のカソード側との接続点Ｐ１４は、抵抗Ｒ１７とコンデンサＣ９との直列回路を介して、平滑用のコンデンサＣ２の低電位側に接続されている。抵抗Ｒ１７とコンデンサＣ９との接続点Ｐ１５は、抵抗Ｒ１８の一端に接続されている。抵抗Ｒ１８の他端は、コンデンサＣ９における抵抗Ｒ１７との接続点Ｐ１５側とは反対側に接続されている。また、抵抗Ｒ１８の一端は、制御部５に接続されている。なお、本実施形態の点灯装置１０では、第２の検出部１６の構成として、２個のダイオードＤ２，Ｄ３と、２個の抵抗Ｒ１７，Ｒ１８と、コンデンサＣ９とを有する構成を用いているが、これに限らず、商用電源Ｖａからの通電の有無を検出できる構成であればよい。
【００７８】
また、第２の検出部１６は、例えばスイッチＳＷ１がオンされて商用電源Ｖａからの通電を検出すると、点灯装置１０が通電されたことを示す通電信号Ｓ６を制御部５へ出力する。
【００７９】
ところで、本実施形態の点灯装置１０では、商用電源Ｖａ側から昇圧チョッパ２への給電が遮断された後、平滑用のコンデンサＣ２に予め蓄積された電荷が放電され第１の電源部３に供給される。第１の電源部３は、平滑用のコンデンサＣ２から放電された電荷に応じて、第１の所定電圧Ｖ１を、所定時間、第２の電源部４へ供給し続ける。そして、第２の電源部４は、第１の電源部３から供給された第１の所定電圧Ｖ１に応じて、第２の所定電圧Ｖ２を、上記所定時間、制御部５へ供給し続ける。つまり、制御部５は、商用電源Ｖａ側から昇圧チョッパ２への給電が遮断された後、平滑用のコンデンサＣ２の出力電圧ＶＤＣ１から降圧された電圧（第２の所定電圧Ｖ２）に基づいて動作する。ここにおいて、平滑用のコンデンサＣ２の容量は、商用電源Ｖａ側から昇圧チョッパ２への給電が遮断された後に、制御部５を少なくとも上記所定時間の間、動作可能とする容量に設定されている。平滑用のコンデンサＣ２の容量としては、例えば、５０μＦ〜１００μＦであれば十分である。
【００８０】
ＬＥＤを用いた光源を点灯させる点灯装置としては、一般的に、入力電圧を昇圧する昇圧チョッパと、昇圧チョッパにより昇圧された電圧を降圧する降圧チョッパとを有する点灯装置が知られている。本願発明者らは、昇圧チョッパと降圧チョッパとを有する比較例の点灯装置として、図２に示す構成を有する点灯装置３０を考えた。
【００８１】
比較例の点灯装置３０は、本実施形態の点灯装置１０と同様に、整流部１と、平滑用のコンデンサＣ１と、昇圧チョッパ３２と、平滑用のコンデンサＣ２と、第１の電源部３と、第２の電源部４と、制御部５と、受光部６と、第２の検出部１６と、一対の出力端子１２ａ，１２ｂとを備えている。
【００８２】
昇圧チョッパ３２は、昇圧チョッパ３２の出力電圧の電圧値が４００Ｖとなるように設計されている。また、昇圧チョッパ３２は、本実施形態の点灯装置１０における昇圧チョッパ２のフォトトランジスタＰＴ１を備えておらず、平滑用のコンデンサＣ２の高電位側と平滑用のコンデンサＣ１の低電位側との間に、抵抗Ｒ４と抵抗Ｒ５との直列回路が接続されている。抵抗Ｒ４と抵抗Ｒ５との接続点Ｐ１６は、制御用ＩＣ８に接続されている。
【００８３】
また、比較例の点灯装置３０は、平滑用のコンデンサＣ２の出力電圧ＶＤＣ２を降圧する降圧チョッパ３１と、降圧チョッパ３１により降圧された電圧を平滑する平滑用のコンデンサＣ１０とを備えている。平滑用のコンデンサＣ１０は、点灯装置３０の一対の出力端子１２ａ，１２ｂ間に接続されている。
【００８４】
降圧チョッパ３１は、例えば、バックコンバータにより構成することができる。また、降圧チョッパ３１は、ダイオードＤ４と、インダクタＬ３と、例えばパワーＭＯＳＦＥＴからなるスイッチング素子Ｑ２と、スイッチング素子Ｑ２のオンオフを制御する制御用ＩＣ３３と、抵抗Ｒ１９とを有している。
【００８５】
平滑用のコンデンサＣ２には、ダイオードＤ４とスイッチング素子Ｑ２と抵抗Ｒ１９との直列回路が、並列接続されている。ダイオードＤ４のカソード側と平滑用のコンデンサＣ２の高電位側との接続点Ｐ１７は、平滑用のコンデンサＣ１０の高電位側に接続されている。ダイオードＤ４のアノード側とスイッチング素子Ｑ２のドレイン端子との接続点Ｐ１８は、インダクタＬ３を介して平滑用のコンデンサＣ１０の低電位側に接続されている。スイッチング素子Ｑ２のゲート端子は、制御用ＩＣ３３に接続されている。スイッチング素子Ｑ２のソース端子と抵抗Ｒ１９との接続点Ｐ１９は、制御用ＩＣ３３に接続されている。抵抗Ｒ１９におけるスイッチング素子Ｑ２との接続点Ｐ１９側とは反対側は、平滑用のコンデンサＣ２の低電位側に接続されている。ここにおいて、制御部５は、降圧チョッパ３１の制御用ＩＣ３３に接続されている。
【００８６】
本実施形態の点灯装置１０では、図２に示した比較例の点灯装置３０のような、降圧チョッパ３１と平滑用のコンデンサＣ１０とが不要となるので、比較例の点灯装置３０に比べて、小型化を図ることが可能となる。また、本実施形態の点灯装置１０では、比較例の点灯装置３０のような、降圧チョッパ３１と平滑用のコンデンサＣ１０とが不要となるので、点灯装置で使用する部品数を少なくすることが可能となり、比較例の点灯装置３０に比べて、低コスト化を図ることが可能となる。
【００８７】
以上説明した本実施形態の点灯装置１０では、商用電源Ｖａ側からの入力電圧を昇圧する昇圧チョッパ２と、昇圧チョッパ２の出力を平滑する平滑用のコンデンサＣ２と、平滑用のコンデンサＣ２の出力電圧ＶＤＣ１により点灯可能な光源７を調光制御する制御部５とを備えている。また、本実施形態の点灯装置１０では、制御部５に、平滑用のコンデンサＣ２の出力電圧ＶＤＣ１から降圧された電圧（第２の所定電圧Ｖ２）が供給されている。そして、本実施形態の点灯装置１０では、制御部５が、商用電源Ｖａ側から昇圧チョッパ２への給電が遮断された後、平滑用のコンデンサＣ２の出力電圧ＶＤＣ１から降圧された電圧（第２の所定電圧Ｖ２）に基づいて動作するので、小型化を図りながらも、商用電源Ｖａからの給電が遮断された後にも制御部５を動作させることが可能となる。
【００８８】
以下、本実施形態の点灯装置１０を備えた点灯システムについて、図１に基づいて説明する。
【００８９】
本実施形態の点灯システムは、点灯装置１０と、商用電源Ｖａから点灯装置１０への給電をオンオフするためのスイッチＳＷ１とを備えている。本実施形態では、スイッチＳＷ１として、例えば、壁スイッチなどを用いている。
【００９０】
また、本実施形態の点灯システムでは、制御部５が、スイッチＳＷ１にて点灯装置１０への給電がオフされてから規定時間（本実施形態では、２秒）までにスイッチＳＷ１がオンされることにより、光源７を調光制御可能な機能（以下、ワン・ツースイッチ機能）を有している。具体的に説明すると、制御部５は、商用電源Ｖａ側から昇圧チョッパ２へ給電された状態でスイッチＳＷ１がオフされると、第２の検出部１６からの通電信号Ｓ６が入力されなくなる。また、制御部５は、第２の検出部１６からの通電信号Ｓ６が入力されなくなった後、上記規定時間までに第２の検出部１６からの通電信号Ｓ６が再び入力されると、調光信号Ｓ３を第１の検出部１１へ出力して光源７の光出力の大きさを切り替える。これにより、本実施形態の点灯装置１０では、使用者がリモコン９を使わなくても、スイッチＳＷ１により光源７を調光制御することが可能となり、利便性の向上を図ることが可能となる。なお、本実施形態では、上記規定時間を２秒としているが、この数値は一例であって、上記規定時間が上記所定時間よりも短い時間であればよい。
【００９１】
ところで、制御部５は、ワン・ツースイッチ機能を実現するために、商用電源Ｖａ側から昇圧チョッパ２への給電が遮断された後、少なくとも上記規定時間まで動作し続けなければならない。本実施形態の点灯装置１０では、図６に示した従来例の点灯装置のような、第１の電源部８３のコンデンサ８４や第２の電源部９０のコンデンサ８７を別途設ける必要がなく、昇圧チョッパ２の出力を平滑する平滑用のコンデンサＣ２の出力電圧ＶＤＣ１から降圧された電圧（第２の所定電圧Ｖ２）に基づいて制御部５を動作可能としている。
【００９２】
以上説明した本実施形態の点灯システムでは、上述の点灯装置１０と、商用電源Ｖａから点灯装置１０への給電をオンオフするためのスイッチＳＷ１とを備えているので、小型化を図りながらも、商用電源Ｖａからの給電が遮断された後にも制御部５を動作させることが可能となる。
【００９３】
また、本実施形態の点灯システムでは、制御部５が、スイッチＳＷ１にて点灯装置１０への給電がオフされてから上記規定時間までにスイッチＳＷ１がオンされることにより、光源７を調光制御可能な機能を有しているので、使用者がリモコン９を使わなくても、スイッチＳＷ１により光源７を調光制御することが可能となり、利便性の向上を図ることが可能となる。
【００９４】
以下、本実施形態の点灯装置１０を用いた照明器具の一例について、図３および図４に基づいて説明する。
【００９５】
本実施形態の照明器具２０は、光源７と、点灯装置１０と、光源７および点灯装置１０を保持する器具本体２１とを備えている。なお、本実施形態の照明器具２０は、引掛けシーリング（図示せず）に取り付け可能なアダプタ２９を備えている。
【００９６】
点灯装置１０は、整流部１、平滑用のコンデンサＣ１、昇圧チョッパ２、平滑用のコンデンサＣ２、第１の電源部３、第２の電源部４、制御部５、第１の検出部１１および第２の検出部１６を含む電源基板２６を有している。
【００９７】
電源基板２６は、例えば、ガラスエポキシ樹脂などからなる絶縁性基材に導体パターン（図示せず）が形成されたプリント配線板などである。電源基板２６の一表面側（図４では、下面側）には、受光部６が実装されている。
【００９８】
器具本体２１は、電源基板２６を保持するボディ２３と、電源基板２６の上記一表面側に配置され光源７を保持するカバー２４とで構成されている。
【００９９】
また、本実施形態の照明器具２０は、受光部６を覆う透光性カバー２７と、カバー２４に保持された光源７から放射された光の配光を制御するレンズ部２５とを備えている。本実施形態では、レンズ部２５が、カバー２４に保持されている。また、本実施形態では、カバー２４に、透光性カバー２７を露出させるための開口孔２４ａが設けられている。
【０１００】
また、本実施形態の照明器具２０は、カバー２４に保持されたレンズ部２５を覆う透光性のセード２２を備えている。本実施形態では、カバー２４に、セード２２を取り付けるための複数（図示例では、３個）の取付具２８が設けられている。
【０１０１】
以上説明した本実施形態の照明器具２０では、光源７と、上述の点灯装置１０とを備えているので、小型化を図りながらも、商用電源Ｖａからの給電が遮断された後にも制御部５を動作させることが可能となる。
【０１０２】
（実施形態２）
本実施形態の点灯装置１０は、基本構成が実施形態１と略同じであり、図５に示すように、制御部５が、第２の電源部４から昇圧チョッパ２の制御用ＩＣ８への給電を制御する点のみが実施形態１と相違する。なお、実施形態１と同様の構成要素には同一の符号を付して説明を適宜省略する。
【０１０３】
昇圧チョッパ２は、第２の電源部４から昇圧チョッパ２の制御用ＩＣ８への給電をオンオフするためのスイッチング素子Ｑ３を有している。
【０１０４】
本実施形態の点灯装置１０では、制御用ＩＣ８と抵抗Ｒ４との接続点Ｐ６と、第２の電源部４との間の給電路に、上述のスイッチング素子Ｑ３が設けられている。
【０１０５】
制御部５は、受光部６から光源７の点灯を指示するリモコン信号Ｓ２が入力されると、スイッチング素子Ｑ３をオンするための第２のオン信号Ｓ７をスイッチング素子Ｑ３へ出力する。また、制御部５は、受光部６から光源７の消灯を指示するリモコン信号Ｓ２が入力されると、スイッチング素子Ｑ３をオフするための第２のオフ信号Ｓ８をスイッチング素子Ｑ３へ出力する。
【０１０６】
制御用ＩＣ８は、商用電源Ｖａ側から給電された状態でスイッチング素子Ｑ３がオフされると、昇圧チョッパ２の動作を停止させる。本実施形態の点灯装置１０でも、昇圧チョッパ２の動作が停止すると、昇圧チョッパ２の出力電圧の電圧値が、整流部１により全波整流された電圧の波高値（本実施形態では、１４１Ｖ）となる。このとき、本実施形態の点灯装置１０では、各ＬＥＤ７ａの順方向電圧の電圧値の合計が２８０Ｖとなるように設計されているので、光源７が消灯する。
【０１０７】
また、制御用ＩＣ８は、商用電源Ｖａ側から給電された状態且つ昇圧チョッパ２の動作が停止した状態でスイッチング素子Ｑ３がオンされると、第２の電源部４から第２の所定電圧Ｖ２が供給されて昇圧チョッパ２が動作する。本実施形態の点灯装置１０でも、昇圧チョッパ２が動作すると、昇圧チョッパ２の出力電圧の電圧値が２８０Ｖとなる。このとき、本実施形態の点灯装置１０では、各ＬＥＤ７ａの順方向電圧の電圧値の合計が２８０Ｖとなるように設計されているので、光源７が点灯する。
【０１０８】
以上説明した本実施形態の点灯装置１０でも、商用電源Ｖａ側からの入力電圧を昇圧する昇圧チョッパ２と、昇圧チョッパ２の出力を平滑する平滑用のコンデンサＣ２と、平滑用のコンデンサＣ２の出力電圧ＶＤＣ１により点灯可能な光源７を調光制御する制御部５とを備えている。また、本実施形態の点灯装置１０でも、制御部５に、平滑用のコンデンサＣ２の出力電圧ＶＤＣ１から降圧された電圧（第２の所定電圧Ｖ２）が供給されている。そして、本実施形態の点灯装置１０でも、制御部５が、商用電源Ｖａ側から昇圧チョッパ２への給電が遮断された後、平滑用のコンデンサＣ２の出力電圧ＶＤＣ１から降圧された電圧（第２の所定電圧Ｖ２）に基づいて動作するので、小型化を図りながらも、商用電源Ｖａからの給電が遮断された後にも制御部５を動作させることが可能となる。なお、本実施形態の点灯装置１０を、実施形態１の照明器具および点灯システムに適用してもよい。
【符号の説明】
【０１０９】
２  昇圧チョッパ
５  制御部
１０  点灯装置
２０  照明器具
Ｃ２  平滑用のコンデンサ
ＳＷ１  スイッチ
Ｖ２  第２の所定電圧（降圧された電圧）
ＶＤＣ１  出力電圧
【図１】
2013239387.tif 000003
【図２】
2013239387.tif 000004
【図３】
2013239387.tif 000005
【図４】
2013239387.tif 000006
【図５】
2013239387.tif 000007
【図６】
2013239387.tif 000008
【図７】
2013239387.tif 000009